(57)【要約】【課題】植栽帯や緑地帯に設けられたマンホールの保守点検作業の際に、取り外したマンホール蓋を、該マンホール周囲の植物を傷つけること無く、置くことができるマンホール蓋立置き装置を提案する。【解決手段】マンホール５１の周壁５２と蓋受枠１１との間に介装されるものであって、該蓋受枠１１により形成される作業口２０に対して弦方向に差し渡されて、該作業口２０の一部を下方から覆い且つ覆っていない開口部により入出口部２１を形成する支持基板部２と、該支持基板部２上に該弦方向に沿って夫々突成された一対の支持突部３，４とを備えてなるものとしたから、マンホール５１の保守点検作業の際に、取り外したマンホール蓋３１を前記一対の支持突部３，４の間に立て置きできる。これにより、植栽帯や緑地帯であっても、マンホール蓋３１を伏せ置きすることによって植物を傷つけてしまうことを防止できる。【選択図】図７
2018053611.tif 000002
【特許請求の範囲】
【請求項１】
マンホールの周壁上に配設されて、該マンホールと連通する作業口を形成し且つ該作業口の口縁にマンホール蓋を支承する円環状の蓋受枠と、該マンホールの周壁との間に介装されるものであって、
前記作業口に対して弦方向に差し渡されて、少なくとも両側縁が、前記マンホールの周壁と蓋受枠とに挟持されると共に、該作業口に保守点検作業用の入出口部を残しつつ、該作業口の一部を下方から覆う支持基板部と、
該支持基板部上に、前記蓋受枠に支承されたマンホール蓋の底面よりも低くなるように、所定の間隔をおいて前記弦方向に沿って夫々突成され、該弦方向の間隙に前記マンホール蓋の外周縁を嵌入することで該マンホール蓋を立て置き可能な一対の支持突部と
を備えたものであることを特徴とするマンホール蓋立置き装置。
【請求項２】
支持基板部は、一対の支持突部の間に、マンホール蓋の外周縁の一部を嵌入可能な嵌入口が形成されたものであることを特徴とする請求項１に記載のマンホール蓋立置き装置。
【発明の詳細な説明】
【技術分野】
【０００１】
本発明は、マンホールの保守点検作業の際に取り外したマンホール蓋を置くためのマンホール蓋立置き装置に関する。
【背景技術】
【０００２】
一般的に、マンホールの周壁上には、マンホール蓋を支承するための蓋受枠が配設されている（例えば、特許文献１参照）。そして、マンホールの保守点検作業を行う際には、蓋受枠からマンホール蓋を取り外して、該マンホールの上部開口を開放することにより、作業者が該上部開口を介してマンホールの内部に進入および該内部から退出できる。尚、マンホール蓋は、鉄鋼製のものが一般的であり、該マンホール蓋を支承する蓋受枠も鉄鋼製のものが一般的である。
【先行技術文献】
【特許文献】
【０００３】
【特許文献１】特開平８−１１３９５６号公報
【発明の概要】
【発明が解決しようとする課題】
【０００４】
ところで、保守点検作業の際に取り外されたマンホール蓋は、通常、マンホール周囲の地面上に伏せ置きされる。しかし、マンホール蓋は、上述したように鉄鋼製の重量物であることから、植栽帯内や緑地帯内に設けられたマンホールの場合では、該マンホール周囲の地面上にマンホール蓋を置いてしまうと、植物を痛めてしまう。また、植物を痛めないために、マンホール蓋を植栽帯や緑地帯の外側まで運ぶと、その運搬作業に多大な労力を要する。このようにマンホール周囲の地面上にマンホール蓋を置けない場所であっても、保守点検作業の際に取り外したマンホール蓋を、前記運搬作業等の労力を増加させること無く、該保守点検作業中に置いておけるものが求められていた。
【０００５】
本発明は、保守点検作業の際に取り外したマンホール蓋を置くことが可能なマンホール蓋立置き装置を提案するものである。
【課題を解決するための手段】
【０００６】
本発明は、マンホールの周壁上に配設されて、該マンホールと連通する作業口を形成し且つ該作業口の口縁にマンホール蓋を支承する円環状の蓋受枠と、該マンホールの周壁との間に介装されるものであって、前記作業口に対して弦方向に差し渡されて、少なくとも両側縁が、前記マンホールの周壁と蓋受枠とに挟持されると共に、該作業口に保守点検作業用の入出口部を残しつつ、該作業口の一部を下方から覆う支持基板部と、該支持基板部上に、前記蓋受枠に支承されたマンホール蓋の底面よりも低くなるように、所定の間隔をおいて前記弦方向に沿って夫々突成され、該弦方向の間隙に前記マンホール蓋の外周縁を嵌入することで該マンホール蓋を立て置き可能な一対の支持突部とを備えたものであることを特徴とするマンホール蓋立置き装置である。
【０００７】
かかる構成にあっては、マンホールの周壁と蓋受枠との間に介装されて配設されるものであり、該マンホールの保守点検作業の際に取り外されたマンホール蓋を、該マンホール上に立て置きできることから、上述した従来のようにマンホール周囲の地面に伏せ置きしなくてもよい。そのため、植栽帯や緑地帯に設けられたマンホールに配設されることで、取り外されたマンホール蓋によって該マンホール周囲の植物を傷つけてしまうことを防ぐことができる。さらに、マンホール蓋を開放する際には、該マンホール蓋を蓋受枠から取り外して、本発明の支持突部に支持させることで、該マンホール蓋を立て置きできると共に、閉鎖する際には、該支持突部から取り外して、蓋受枠に支承させることで、該マンホールを閉鎖できる。このように、本構成によれば、マンホール蓋の開閉にかかる作業負担を可及的に抑制できるため、上述した従来のように、植物を傷つけないように、植栽帯や緑地帯の外側までマンホール蓋を運搬するという作業も必要とせず、この運搬作業に掛かる時間と労力とを削減できる。
【０００８】
また、本発明の構成は、取り外したマンホール蓋を立置きした状態で、作業口の入出口部から作業者がマンホールの内部に入出して保守点検作業を実施できる。さらにまた、支持突部が、蓋受枠に支承されたマンホール蓋の底面よりも低くなるように支持基板部から突出されていることから、マンホール蓋を蓋受枠に支承した際に、該支持突部が該マンホール蓋に当たることも無い。したがって、マンホール蓋により作業口を支障無く閉鎖できる。
【０００９】
上述した本発明のマンホール蓋立置き装置にあって、支持基板部は、一対の支持突部の間に、マンホール蓋の外周縁の一部を嵌入可能な嵌入口が形成されたものである構成が提案される。
【００１０】
かかる構成にあっては、一対の支持突部の間に立置きしたマンホール蓋の外周縁の下部を、嵌入口に嵌入させることにより、該マンホール蓋を一層安定して立て置きできると共に、該マンホール蓋がその周方向に転動してしまうことを防止できる。したがって、立て置きしたマンホール蓋を、この立て置き状態で安定して保持できる。
【発明の効果】
【００１１】
本発明のマンホール蓋立置き装置は、上述したように、植栽帯や緑地帯に設けられたマンホールに配設されることにより、保守点検作業の際に作業口を開放することで取り外されたマンホール蓋を、該マンホール上に立て置きでき、該マンホール周囲の植物を傷つけてしまうことを防ぐことができる。さらに、取り外されたマンホール蓋を植栽帯や緑地帯の外側まで運搬する必要もないことから、この運搬作業に要する時間と労力とを削減できるため、総じて、マンホールの保守点検作業に要する作業負担を軽減でき、作業効率が向上する。
【図面の簡単な説明】
【００１２】
【図１】マンホール５１の施工状態を示す縦断面図である。
【図２】蓋受枠１１にマンホール蓋３１を支承した状態を示す平面図である。
【図３】マンホール蓋３１を取り外して作業口２０を開放した状態を示す平面図である。
【図４】マンホール蓋立置き装置１を示す、（Ａ）平面図と、（Ｂ）縦断面図である。
【図５】マンホール蓋立置き装置１の斜視図である。
【図６】マンホール蓋３１を取り外して、マンホール蓋立置き装置１へセットする態様を示す説明図である。
【図７】マンホール蓋３１を立て置きした状態を示す縦断面図である。
【図８】マンホール蓋３１を立て置きした状態を、別角度から縦断して示す断面図である。
【図９】マンホール蓋３１を立て置きした状態を示す平面図である。
【発明を実施するための形態】
【００１３】
本発明にかかる実施例を添付図面に従って説明する。
図１に、マンホール５１の施工状態の縦断面図を示すと共に、図２に、該マンホール５１に配設した蓋受枠１１にマンホール蓋３１を支承して該マンホール５１を閉鎖した状態の平面図を示す。マンホール５１は、コンクリート製の略円筒形からなり、植栽帯や緑地帯などに、上方開口するように埋設される。そして、マンホール５１が設けられた植栽帯や緑地帯には、該マンホール５１の周壁５２の周囲の地面に植物が植えられている（図示せず）。
【００１４】
マンホール５１の周壁５２上には、マンホール蓋３１を支承する蓋受枠１１が配設されている。この蓋受枠１１は、鉄鋼製であり、図１，３に示すように、内側に円形の作業口２０を形成する円環状の枠体部１２と、該枠体部１２の内側に設けられた断面略Ｌ形状の蓋受部１３と、枠体部１２の外周面から外方へ突成された鍔部１４とを備えてなる。蓋受部１３は、枠体部１２の内周面に沿って周成され、該枠体部１２との間に、上方開口する円環状の嵌入凹部１６を形成している。そして、この嵌入凹部１６には、後述するマンホール蓋３１の外周縁に設けられた外周凸部３３が嵌入可能となっている。また、鍔部１４は、平面視で略円環板状をなし、枠体部１２の外周面の下端から外方へ所定幅で突出されていると共に、その周方向に沿って所定間隔で複数の切欠溝（図示せず）が形成されている。こうした蓋受枠１１は、枠体部１２がマンホール５１の周壁５２に乗載されて、鍔部１４の各切欠溝を挿通させた保持用螺子杆２５により該周壁５２に固定される。そして、マンホール５１の周壁５２上に配設された状態で、前記作業口２０がマンホール５１と連通しており、後述するように、開放された該作業口２０を介して、作業者が該マンホール５１の内部に進入したり、該内部から退出できる。
【００１５】
また、マンホール蓋３１は、鉄鋼製であり、蓋受枠１１の枠体部１２の上端における内径と略同じ外径からなる略円板状の蓋主部３２と、該蓋主部３２の外周縁から下方に突出された円環状の外周凸部３３とを備えてなる。このマンホール蓋３１は、図１に示すように、外周凸部３３が蓋受枠１１の嵌入凹部１６に嵌入されて、蓋主部３２の底面が蓋受部１３の上端部で支持されることにより、該蓋受枠１１で支承される。この支承された状態で、マンホール蓋３１は、蓋受枠１１の枠体部１２の上端部内側に嵌め合わされて、作業口２０を閉鎖する。ここで、本実施例にあって、蓋受枠１１には、蓋受部１３の上部を周方向に亘って覆う円環状の被覆緩衝材２６が配設されており、マンホール蓋３１の蓋主部３２の底面が該被覆緩衝材２６を介して該蓋受部１３の上端部に支持される。一方、作業口２０を開放する際には、マンホール蓋３１を上方へ引き上げて、該マンホール蓋３１の外周凸部３３を蓋受枠１１の嵌入凹部１６から退出させることで、該マンホール蓋３１を取り外すことができる（図６参照）。
【００１６】
尚、上述したマンホール５１、蓋受枠１１、およびマンホール蓋３１は、一般的に使用されている構成のものを適用できることから、詳細な説明は省略する。
【００１７】
次に、本発明の要部にかかるマンホール蓋立置き装置１について詳述する。
マンホール蓋立置き装置１は、上記したマンホール５１の周壁５２と蓋受枠１１との間に介装されるものであって（図１参照）、図４，５に示すように、略長方形状の支持基板部２と、該支持基板部２から上方へ突成された一対の支持突部３，４とを備えたものである。支持基板部２は、鋼板から形成されてなり、図３に示すように、上記作業口２０に対して弦方向に沿って差し渡されて配設される。ここで、弦方向とは、作業口２０の円周上の、所定の円弧により定まる弦の方向を示す。すなわち、支持基板部２は、作業口２０の前記円弧の両端に差し渡されるように配設される。
【００１８】
この支持基板部２は、上記のように作業口２０に対して弦方向に沿って差し渡されて、その両側縁を、マンホール５１の周壁５２と蓋受枠１１とにより挟持される挟持縁部６，６とするものである。そして、支持基板部２の挟持縁部６，６は、前記周壁５２と蓋受枠１１とにより挟持された状態で該蓋受枠１１の鍔部１４よりも外方へ突出しない端縁形状に形成されている。また、本実施例の支持基板部２は、上記した蓋受枠１１の鍔部１４に形成された二個の切欠溝間に差し渡されるものであり、挟持縁部６，６には、図４，５に示すように、当該二個の切欠溝に対応する位置に、上記の保持用螺子杆２５を挿通するための挿通溝７，７が形成されている。
【００１９】
こうした支持基板部２は、マンホール５１の周壁５２と蓋受枠１１とにより挟持されて配設された状態で、上記作業口２０の一部を下方から覆う。そして、図３に示すように、作業口２０の、支持基板部２により覆われていない欠円形の開口部により、本発明にかかる入出口部２１が形成されている。この入出口部２１は、マンホール５１の保守点検作業の際に、作業者が該マンホール５１の内部に進入（又は該内部から退出）するのに十分な開口面積を有する。すなわち、支持基板部２は、前記開口面積の入出口部２１を形成できるように、その配設位置や寸法サイズ等が作業口２０の口径に応じて設定されている。
【００２０】
また、上記した一対の支持突部３，４は、図４，５に示すように、所定長さの角形鋼管から夫々構成されてなり、支持基板部２の上面に溶接により夫々接合されている。これら支持突部３，４は、図３に示すように、支持基板部２の、上記した挟持縁部６，６を除く部位（作業口２０の内側部位）に、長手方向が上記の弦方向（支持基板部２を差し渡した弦方向）に沿うようにして、所定間隔をおいて夫々配設されている。ここで、支持突部３，４の間隔は、その間隙に、マンホール蓋３１の外周縁部を嵌入できるように、該外周縁部の厚みと略同じ寸法に設定されている。さらに、支持突部３，４は、図１に示すように、支持基板部２をマンホール５１の周壁５２と蓋受枠１１とで挟持して配設した状態で、蓋受枠１１の蓋受部１３よりも低い位置に配置されるように、角形鋼管のサイズを設定している。これにより、支持突部３，４は、蓋受枠１１に支承されたマンホール蓋３１の底面よりも低い位置となり、該マンホール蓋３１の底面に当接しないことから、マンホール蓋３１により作業口２０を正しく閉鎖でき且つ当該閉鎖した位置で安定して保持できる。
【００２１】
さらにまた、上記した支持基板部２は、図４，５に示すように、支持突部３，４との間に、表裏に貫通する略長方形状の嵌入口９が形成されている。嵌入口９は、その長手方向が支持基板部２の弦方向に沿うように形成されており、短尺の支持突部４と略同じ長さで設けられている。そして、嵌入口９の短手方向の幅は、マンホール蓋３１の外周縁部を嵌入できるように、支持突部３，４の間隔と略同じ寸法に設定されている。こうした嵌入口９には、図６に示すように、一対の支持突部３，４の間に嵌入されたマンホール蓋３１の外周縁部の一部が嵌入される。これにより、マンホール蓋３１が一対の支持突部３，４により安定して支持できると共に、該支持された状態で、マンホール蓋３１が周方向へ転動してしまうことを防止できる。
【００２２】
尚、本実施例にあって、支持突部３，４および嵌入口９は、支持基板部２を二分する仮想中心線（該支持基板部２の弦方向と略直交する径方向に沿った仮想線）に対して左右対称に夫々形成されている。そして、入出口部２１側に配設された一方の支持突部３は、他方の支持突部４に比して長尺に形成されており、その両端が作業口２０の口縁近傍まで夫々延成されている。
【００２３】
こうした本発明にかかるマンホール蓋立置き装置１は、図１，３に示すように、マンホール５１の施工の際に、該マンホール５１の周壁５２と蓋受枠１１との間に介装されて配設される。すなわち、蓋受枠１１をマンホール５１の周壁５２上に乗載するときに、支持基板部２を該蓋受枠１１の作業口２０に対して弦方向に沿って差し渡すようにして、該支持基板部２の挟持縁部６，６を該蓋受枠１１と周壁５２とで挟む。ここで、支持基板部２は、挟持縁部６，６の挿通溝７，７が蓋受枠１１の切欠溝（図示せず）と夫々重なるようにして、作業口２０に差し渡されて配置される。そして、蓋受枠１１の鍔部１４の各切欠溝に夫々挿通された保持用螺子杆２５により、該蓋受枠１１を前記周壁５２に固定させる。これに伴って、支持基板部２の挟持縁部６，６がマンホール５１の周壁５２と蓋受枠１１とに挟持されて、マンホール蓋立置き装置１が配設される。尚、本実施例にあっては、マンホール５１の周壁５２と蓋受枠１１の間に、前記支持基板部２と同じ板厚の円環状のスペーサ２７が介装される。このスペーサ２７は、周壁５２の上面の、支持基板部２を乗載していない部分に、配置され、該支持基板部２と重ならない。こうしてスペーサ２７を配設することにより、蓋受枠１１を周方向に亘って同じ高さ位置に配設できることから、該蓋受枠１１が、前記周壁５２上に、支持基板部２とスペーサ２７とを介して安定して保持され得る。
【００２４】
このようにマンホール５１の周壁５２に蓋受枠１１とマンホール蓋立置き装置１とが配設された状態で、図３に示すように、マンホール５１が該蓋受枠１１の作業口２０を介して開放される。そして、この作業口２０は、その一部が該マンホール蓋立置き装置１の支持基板部２により下方から覆われ、該支持基板部２で覆われていない入出口部２１によりマンホール５１を上方開口させている。また、このように配設された蓋受枠１１に、マンホール蓋３１が支承されることにより、図１，２に示すように作業口２０が閉鎖される。
【００２５】
次に、上述したマンホール蓋立置き装置１の使用態様について説明する。
マンホール５１の保守点検作業の際には、図６（Ａ）に示すように、マンホール蓋３１を蓋受枠１１から引き上げて、作業口２０を開放させる。そして、図６（Ｂ）に示すように、蓋受枠１１から取り外したマンホール蓋３１を、蓋主部３２が上下方向に沿うように起立させて、該マンホール蓋３１の外周縁部の下部を、作業口２０の内側に位置する支持基板部２上の一対の支持突部３，４間に上方から嵌入させ、さらに、該外周縁部の下端部を、該支持基板部２の嵌入口９に上方から嵌入させる。これにより、図７〜９に示すように、マンホール蓋３１の外周縁部の下部が、一対の支持突部３，４と嵌入口９とにより支持されて、該マンホール蓋３１をマンホール５１上に立て置きできる。ここで、立て置きされたマンホール蓋３１は、支持基板部２上で上記の弦方向に沿って立て置きされることから、作業口２０の入出口部２１上に位置しない。そのため、立て置きされたマンホール蓋３１によって、入出口部２１を介した作業者によるマンホール５１の内部への進入および該内部からの退出が妨げられず、比較的容易に進入退出できる。さらに、マンホール蓋３１を、その表裏から一対の支持突部３，４により支持し、かつ該マンホール蓋３１の外周縁部の下端部を嵌入口９に嵌入していることから、該マンホール蓋３１を立てた状態で安定して保つことができる。そして、前記嵌入口９に嵌入されていることで、マンホール蓋３１が周方向へ転動してしまうことも防止できるため、この立て置きされた状態で安定して保持され得る。このようにマンホール蓋立置き装置１にマンホール蓋３１を立て置きすることにより、該立て置きした状態で安定して保持でき、該マンホール蓋３１が倒れてしまうことを可及的に抑制できる。
【００２６】
こうして蓋受枠１１から取り外したマンホール蓋３１を立置きできることにより、該マンホール蓋３１をマンホール５１の周囲の地面に伏せ置くことを要しない。そのため、植栽帯や緑地帯に設けられたマンホール５１にあって、取り外したマンホール蓋３１により植物を傷つけてしまうことを防止できる。さらに、取り外したマンホール蓋３１を植栽帯や緑地帯の外側まで運搬する必要も無いことから、この運搬作業に要する負担を生じない。
【００２７】
その後、保守点検作業を終了すると、立置きされたマンホール蓋３１を引き上げて、一対の支持突部３，４による支持を解除する。そして、マンホール蓋３１を倒伏させて蓋受枠１１に支承させることにより、作業口２０を閉鎖する。
【００２８】
上述したように本実施例のマンホール蓋立置き装置１によれば、マンホール５１の保守点検作業の際に、取り外したマンホール蓋３１を該マンホール５１上に立て置きできるため、植栽帯や緑地帯などのようにマンホール５１の周囲にマンホール蓋３１を伏せ置きできない場所であっても、該周囲の環境に影響せずに該マンホール蓋３１を置くことができる。そのため、上述したように、取り外したマンホール蓋３１をマンホール５１の周囲に伏せ置くことで、該周囲の植物を傷つけてしまうことも無い。さらに、取り外したマンホール蓋３１を植栽帯や緑地帯の外側まで運搬する必要も無いため、該運搬作業に要する時間と労力とを削減できる。したがって、マンホール５１の保守点検作業に要する作業負担を軽減でき、該作業の効率を向上できる。
【００２９】
本発明にあっては、上述した実施例に限定されるものではなく、これら実施例以外の構成についても本発明の趣旨の範囲内で適宜変更して実施可能である。
例えば、上述の実施例にあっては、支持突部３，４を支持基板部２の上面に溶接により夫々接合したものであるが、これに限らず、支持突部３，４を支持基板部２上にボルト等で接合する等のように、他の接合手段を用いることもできる。また、支持突部３，４は、角形鋼管の他に、鋼板を折曲加工して形成されたものであっても良いし、Ｌ形やコ形のアングル鋼などを使用することも可能である。
また、上述した実施例にあっては、マンホール５１の周壁５２と蓋受枠１１との間にスペーサ２７を配設するものとしたが、これに限らず、モルタル等の充填材を該周壁５２と蓋受枠１１との間に充填するようにしても良い。すなわち、周壁５２と蓋受枠１１との間の、支持基板部２を介装しない部分に、前記充填材を充填する。
また、上述した実施例では、植栽帯や緑地帯に設けたマンホール５１について例示したが、この他に、例えば、周囲にマンホール蓋３１を置くスペースの無い狭隘な場所に設けられたマンホール５１にあっても、本発明のマンホール蓋立置き装置を配設することにより、該実施例と同様の作用効果を奏し得る。
【符号の説明】
【００３０】
１  マンホール蓋立置き装置
２  支持基板部
３，４  支持突部
９  嵌入口
１１  蓋受枠
２０  作業口
２１  入出口部
３１  マンホール蓋
５１  マンホール
５２  周壁
【図１】
2018053611.tif 000003
【図２】
2018053611.tif 000004
【図３】
2018053611.tif 000005
【図４】
2018053611.tif 000006
【図５】
2018053611.tif 000007
【図６】
2018053611.tif 000008
【図７】
2018053611.tif 000009
【図８】
2018053611.tif 000010
【図９】
2018053611.tif 000011